(57)【要約】      （修正有）【課題】捺印の際にいちいちキャップを外す操作をせずに捺印することができ、また捺印操作も片手で簡単に行うことができるキャップレス印判を提供する。【解決手段】上蓋１と下蓋２をそれぞれの一端縁で互いに枢着し、下蓋２の他端縁に上蓋１の開状態では印面を露出させ、上蓋１の閉状態では印面を上蓋１と下蓋２の間に収納される印面ホルダー４を回動自在に装着したキャップレス印判であって、前記上蓋１の両側面に、対向する一対のスライド溝７を形成し、一方、前記印面ホルダー４の両側面に前記スライド溝７に係合し、かつ先端部が前記スライド溝７よりも外側へ突出して上蓋１の開閉用操作部となる操作片８を突設した。前記スライド溝７の両端部には、操作片８の戻りを抑制するための突起７ａ、７ｂが形成されているのが好ましい。【選択図】図１
2020163672.tif 000002
【特許請求の範囲】
【請求項１】
上蓋と下蓋をそれぞれの一端縁で互いに枢着し、下蓋の他端縁に上蓋の開状態では印面を露出させ、上蓋の閉状態では印面を上蓋と下蓋の間に収納される印面ホルダーを回動自在に装着したキャップレス印判であって、
前記上蓋の両側面に、対向する一対のスライド溝を形成し、
一方、前記印面ホルダーの両側面に前記スライド溝に係合し、かつ先端部が前記スライド溝よりも外側へ突出して上蓋の開閉用操作部となる操作片を突設したことを特徴とするキャップレス印判。
【請求項２】
スライド溝の両端部には、操作片の戻りを抑制するための突起が形成されている請求項１に記載のキャップレス印判。
【発明の詳細な説明】
【技術分野】
【０００１】
本発明は、捺印の際にいちいちキャップを外す操作をせずに捺印することができ、また捺印操作も片手で簡単に行うことができるキャップレス印判に関するものである。
【背景技術】
【０００２】
従来から、携帯用印鑑として、上蓋と下蓋をそれぞれの一端縁で互いに枢着し、下蓋の他端縁に上蓋の開状態では印面を露出させ、上蓋の閉状態では印面を上蓋と下蓋の間に収納される印面ホルダーを回動自在に装着した構造のものが公知である（例えば、特許文献1や特許文献２を参照）。
【０００３】
特許文献１や特許文献２に示される印鑑は、従来の印鑑が円柱状や角柱状のもので携帯用として持ち歩くには不便であったため、持ち歩く際には上蓋を閉状態として印面を上蓋と下蓋の間に収納させて、持ち歩きやすい構造にしたものである。
【０００４】
特許文献１に示される印鑑の場合は、上蓋の両側にスライド溝を形成し、前記スライド溝に係合するガイド杆を、印判ホルダー両側に、一対対向するように備えている。しかし、前記ガイド杆は、上蓋の外側に突出しておらず、印面ホルダーを露出・収納させる為に、直接的に作用する前記ガイド杆部分を直接指で押さえながら、印判ホルダーを開閉させることが出来なかった。従って、特許文献1に示される印鑑の場合は、上蓋の上面にガイド溝と、印面ホルダーの上端面に突起を別途設け、前記ガイド溝と前記突起を係合させる構成となっており、前記突起を操作させることで、ガイド杆を案内し、印面ホルダーを回動させる構造となっており、１個のガイド溝で突起を操作することで、印面ホルダー両側に一対対向するよう設けられた２片のガイド杆を移動・案内させなければならない為、ガタツキが生じやすく、安定しないという問題が生じていた。
また、特許文献1に示される印鑑は、印面を露出させる際に、上蓋を指等で両面から挟んで固定しながら、印面ホルダー天面側に1箇所設けられた小突起である操作片を前記スライド溝に沿って、印面側へ移動させなければならない。さらに、印面を露出させる際には、前記操作片をバネの付勢力に反して印面側に前記スライド溝に沿って、押し込まなければならない。よって、印面露出の際、非常に大きな力をかけなければならなかった為、両手で上蓋と下蓋を持って操作しないと上蓋の開閉操作を行うことができないという問題があった。さらに、特許文献1に示される印鑑に別途設けられた操作片は、上蓋の天面側に配置されており、印面露出の際、前記操作片を押さえることにより発生する下側方向への力とスライド移動により上蓋に働く上側方向への力が相反し、前記印面露出の妨げとなっていた。
また、特許文献２に示される印鑑の場合は、押圧片を押すことにより上蓋を跳ね上げる構造でスライド溝と突起は有しておらず、捺印時は押圧片を押しっぱなしの状態にしていないと印鑑が引っ込んでしまう構造であり、老人等の非力な人には捺印操作がやりにくいという問題があった。
【先行技術文献】
【特許文献】
【０００５】
【特許文献１】実開昭５２−１５９１２号公報
【特許文献２】ＵＳＰ第５１０５７３８号公報
【発明の概要】
【発明が解決しようとする課題】
【０００６】
本発明は上記のような従来の問題点を解決して、捺印の際にいちいちキャップを外す操作をせずに容易に捺印することができ、また、捺印の際の上蓋の開閉操作も、ガタツキを生じさせることなく安定的に、片手で簡単に行うことができて便利であり、ガイド溝及びそれに係合する突起片を別途設ける必要がなく、また捺印時に印面がロックされて鮮明な印影を作成することができるキャップレス印判を提供することを目的とするものである。
【課題を解決するための手段】
【０００７】
上記課題を解決するためになされた本発明のキャップレス印判は、上蓋と下蓋をそれぞれの一端縁で互いに枢着し、下蓋の他端縁に上蓋の開状態では印面を露出させ、上蓋の閉状態では印面を上蓋と下蓋の間に収納される印面ホルダーを回動自在に装着したキャップレス印判であって、
前記上蓋の両側面に、対向する一対のスライド溝を形成し、
一方、前記印面ホルダーの両側面に前記スライド溝に係合し、かつ先端部が前記スライド溝よりも外側へ突出して上蓋の開閉用操作部となる操作片を突設したことを特徴とするものであり、これを請求項１に係る発明とする。
【０００８】
好ましい実施形態によれば、前記スライド溝の両端部には、操作片の戻りを抑制するための突起が形成されているものが好ましく、これを請求項２に係る発明とする。
【発明の効果】
【０００９】
請求項１に係る発明では、上蓋と下蓋をそれぞれの一端縁で互いに枢着し、下蓋の他端縁に上蓋の開状態では印面を露出させ、上蓋の閉状態では印面を上蓋と下蓋の間に収納される印面ホルダーを回動自在に装着したキャップレス印判であって、前記上蓋の両側面に、対向する一対のスライド溝を形成し、一方、前記印面ホルダーの両側面に前記スライド溝に係合し、かつ先端部が前記スライド溝よりも外側へ突出して上蓋の開閉用操作部となる操作片を突設したので、捺印時および捺印終了時の上蓋の開閉操作を、印面ホルダーを露出させる際に、直接的に作用するスライド溝から突出している前記操作片部分を直接指で摘まんで操作させることができる為、印判ホルダーの開閉操作を、ガタツキを生じさせることなく安定的に、かつ片手で簡単に行うことができる。印判を露出させる為の、ガイド溝及びそれに係合する突起片を別途設ける必要がない。
【００１０】
また、請求項２に係る発明では、前記スライド溝の両端部には、操作片の戻りを抑制するための突起が形成されているものとしたので、捺印時には操作片の戻りが抑制されて印面がロックされるため捺印しやすく、また鮮明な印影を作成することができる。一方、上蓋の閉状態では操作片の戻りが抑制されて不用意に上蓋が開くことがないので、印面が露出して汚すこともない。
【図面の簡単な説明】
【００１１】
【図１】本発明の上蓋を閉じた状態を示す前方側からの斜視図である。
【図２】図１の後方側からの斜視図である。
【図３】図１の平面図である。
【図４】図１の正面図である。
【図５】図１のスライド溝と操作片の関係を示す説明図である。
【図６】本発明の上蓋を開いた状態を示す前方側からの斜視図である。
【図７】図６の後方側からの斜視図である。
【図８】図６の平面図である。
【図９】図６の正面図である。
【図１０】図６のスライド溝と操作片の関係を示す説明図である。
【発明を実施するための形態】
【００１２】
以下に、図面を参照しつつ本発明の好ましい実施の形態を示す。
図１〜図４は、本発明に係るキャップレス印判の上蓋を閉じた状態を示すものであり、図５はこの状態のスライド溝と操作片の関係を示す説明図である。また、図６〜図９は、本発明に係るキャップレス印判の上蓋を開いた状態を示すものであり、図１０はこの状態のスライド溝と操作片の関係を示す説明図である。
【００１３】
図において、１は上蓋、２は下蓋である。この上蓋１と下蓋２とは、一端縁（図示のものでは後端縁）でヒンジ部３により枢着されており、前記上蓋１がヒンジ部３を中心にして回動自在に取り付けられている。また、下蓋２の他端縁（図示のものでは前端縁）には、印面５を取り付けてある印面ホルダー４が、ヒンジ部６を中心にして回動自在に装着されている。
そして、前記印面ホルダー４が上蓋１の開状態では印面５を露出させ、一方、上蓋１の閉状態では印面５を上蓋１と下蓋２の間に収納される構造となっているが、この構造は従来のこの種の印判構造と基本的に同じである。
【００１４】
前記上蓋１の両側面には、対向する一対のスライド溝７が形成されている。また、前記印面ホルダー４の両側面には、前記スライド溝７に係合し、かつ先端部が前記スライド溝７よりも外側へ突出して上蓋１の開閉用操作部となる操作片８が突設されている。
即ち、外側へ突出している前記操作片８を指で挟んでスライド溝７内を摺動させることで、上蓋１が閉状態（図１を参照）と上蓋１が開状態（図６を参照）の２態様を採るように構成されている。しかも、前記スライド溝７は対向して一対形成してあるので、印面ホルダー４の摺動移動はガタツキを発生させることがなく安定してスムースに行うことができる。
【００１５】
また、前記スライド溝７の両端部には、操作片８の戻りを抑制するための突起７ａ、７ｂが形成されている。この突起７ａは、上蓋１が閉状態にある時に不用意に上蓋１が開くのを防止するためのものであり、操作片８の戻りを抑制するように前記スライド溝７端部近傍に、スライド溝内側方向に隆起する形で形成されている。従って、不用意に上蓋１が開いて印面５が露出することがなく、インキ着色の汚れが防止される（図５を参照）。使用者は、操作片をスライド溝に合わせて端部に移動させるだけで、前記突起と、前記操作片を容易に係合させることができる。即ち、前記操作片を係合させるための動きが、概ね一方向(図5紙面左右方向)のみで完結し、係合させる為にスライド端部近傍で、操作片を、垂直に動かしたり、押し込んだりする必要がない。
また、突起７ｂは、上蓋１が開状態にある時に不用意に上蓋１が閉じるのを防止するためのものであり、操作片８の戻りを抑制するように前記スライド溝７端部近傍に、スライド溝内側方向に隆起する形で形成されている。従って、不用意に上蓋１が閉じることがなく、捺印処理を確実に行うことができる（図１０を参照）。
【００１６】
以下に、本発明のキャップレス印判の操作について説明する。
図１〜図４に示されるように、通常は上蓋１が閉じた状態にあり、コンパクトで持ち運びに便利である。また、図５に示されるように、上蓋１の開閉用操作部となる操作片８は、スライド溝７の右端部に位置しており、かつ突起７ａにより操作片８の戻りが抑制されているので、操作片８に突起７ａを乗り越えるような大きな力を意識的に作用させない限り、上蓋１が開くことがない。従って、不用意に上蓋１が開いて印面５が露出することがなく、インキ着色の汚れが防止されることとなる。
【００１７】
次に、上蓋１を開いて印面５を露出させる場合は、操作片８に大きな力を意識的に作用させてスライド溝７内を他端側(図４紙面左側方向)へ移動させる。図６〜図９は、上蓋１が開いて印面５を露出させた状態を示す。図１０に示されるように、上蓋１の開閉用操作部となる操作片８は、スライド溝７の左端部に位置しており、かつ突起７ｂにより操作片８の戻りが抑制されているので、操作片８に突起７ｂを乗り越えるような大きな力を意識的に作用させない限り、上蓋１が閉じることがない。従って、捺印処理を安定して連続的に行うことができることとなる。
【００１８】
捺印処理を終えた後は、操作片８に大きな力を意識的に作用させてスライド溝７内を他端側（図9紙面右側方向）へ移動させ、再び上蓋１が閉じた状態に戻せばよい。本実施例の構成は、上蓋1の両側面から外側へ露出する操作片８を、直接親指と他の指で、挟むようにして、左右方向へスライド移動させることが可能である。
【００１９】
特許文献1に示される印面を露出させる際のスライド移動は、上蓋を指等で両端から挟んで固定しながら、印面ホルダー天面側に1箇所設けられた小突起である操作片を前記スライド溝に沿って押し込み正面側へ移動させることで作用している。一方、本実施例の前記スライド移動は、操作片8を両端から指等で挟んで固定しながら、上蓋1の正面全体を、正面側（図4紙面左方向）から、背面側（図4紙面右方向）へ押し込むことで作用している。前記上蓋正面全体の面積と、前記小突起である操作片を押し込む面の面積を比較すると、前記正面全体の面積のほうがはるかに大きく、前記正面全体を指で押さえながら押し込んでスライド移動を行った場合は、指に作用する圧力が小さい為、スライド移動をさせる為に必要な力が小さくて済む。このことは、印面を収納させる場合も同様である。
また、本実施例の構成は、特許文献1に示される印鑑のように、印面露出の際に、バネの付勢力に反して、操作片を押し込む必要がない。
前記の理由より、本実施例の構成の印鑑は、前記スライド移動させる際、ガタツキが生じにくく、印面の露出・収納を片手で簡単に行うことができる。また、本実施例の構成において、操作片８は、上蓋が移動しうる上下方向に対し、その側面側に配置されている為、印面露出の際、前記操作片を押さえることにより発生する下側方向への力とスライド移動により上蓋に働く上側方向への力が相反し、前記印面露出の妨げとなることがない。
【００２０】
以上の説明からも明らかなように、本発明のキャップレス印判は上蓋と下蓋をそれぞれの一端縁で互いに枢着し、下蓋の他端縁に上蓋の開状態では印面を露出させ、上蓋の閉状態では印面を上蓋と下蓋の間に収納される印面ホルダーを回動自在に装着したキャップレス印判であって、前記上蓋の両側面に、対向する一対のスライド溝を形成し、一方、前記印面ホルダーの両側面に前記スライド溝に係合し、かつ先端部が前記スライド溝よりも外側へ突出して上蓋の開閉用操作部となる操作片を突設したので、捺印時および捺印終了時の上蓋の開閉操作を、スライド溝から突出している前記操作片を指で摘まみ片手で簡単に行うことができることとなる。
【符号の説明】
【００２１】
１  上蓋
２  下蓋
３  ヒンジ部
４  印面ホルダー
５  印面
６  ヒンジ部
７  スライド溝
７ａ  突起
７ｂ  突起
８  操作片
【図１】
2020163672.tif 000003
【図２】
2020163672.tif 000004
【図３】
2020163672.tif 000005
【図４】
2020163672.tif 000006
【図５】
2020163672.tif 000007
【図６】
2020163672.tif 000008
【図７】
2020163672.tif 000009
【図８】
2020163672.tif 000010
【図９】
2020163672.tif 000011
【図１０】
2020163672.tif 000012